(57)【要約】【課題】小型化された撮像装置で、撮像情報管理装置に撮像情報を誤重複なく適確に管理格納可能な撮像情報の管理システムを提供する。【解決手段】撮像装置１５による被写体画像と撮像日時情報は、ディジタル信号処理ユニットとＣＰＵ７による信号処理後、固定メモリ１０又は外部メモリ１１に画像データファイルとして格納され、該メモリから読み出され、撮像情報管理装置１８に転送され管理メモリ２６に画像データファイルとしての管理格納時、先ず撮像日時情報が送信され、撮像情報管理装置１８が管理メモリ２６に同一撮像日時情報の無格納を確認後に、画像データファイルが取込まれ管理メモリ２６に格納され、誤重複格納を避けて画像データファイルの適確効率的な管理格納が可能になり、画像情報管理装置１８で重複を避ける判定と画像データファイルの取込を行い、撮像装置２５側の構成が簡易化され、撮像装置２５の大幅な小型化が可能になる。【選択図】　　　　図１
2004064595.tif 000002
【特許請求の範囲】
【請求項１】
被写体の撮像情報と該撮像情報を識別する識別情報とが格納される第１の格納手段を備えた撮像装置と、
前記第１の格納手段の格納情報から選択される撮像情報及び対応する識別情報が格納される第２の格納手段を備え、該第２の格納手段に格納される撮像情報及び識別情報を管理する撮像情報管理装置と
からなる撮像情報の管理システムであり、
前記第１の格納手段から識別情報を読み出して前記撮像情報管理装置に送信する識別情報送信手段が前記撮像装置に設けられ、
前記識別情報送信手段により送信される識別情報に基づいて、該識別情報に対応する撮像情報が、前記第２の格納手段の格納情報として新規情報であるか否かを判定する新規性判定手段と、
該新規性判定手段により新規情報と判定されると、対応する撮像情報及び識別情報を、前記第２の格納手段に格納する格納制御手段と
が前記撮像情報管理装置に設けられていることを特徴とする撮像情報の管理システム。
【請求項２】
請求項１記載の撮像情報の管理システムにおいて、
識別情報が撮像日時情報であり、新規性判定手段が、識別情報送信手段により送信される撮像日時送信情報と、第２の格納手段から読み出される最新の撮像日時格納情報とを比較し、前記撮像日時送信情報が新しいと判定されると、格納制御手段が、前記撮像日時送信情報と対応する撮像情報とを前記第２の格納手段に格納することを特徴とする撮像情報の管理システム。
【請求項３】
請求項１記載の撮像情報の管理システムにおいて、
識別情報が撮像日時情報であり、新規性判定手段が、識別情報送信手段により送信される撮像日時送信情報と、第２の格納手段から読み出される全ての撮像日時格納情報とを比較し、前記撮像日時送信情報が新しいと判定されると、格納制御手段が、前記撮像日時送信情報と対応する撮像情報とを前記第２の格納手段に格納することを特徴とする撮像情報の管理システム。
【請求項４】
請求項２または請求項３記載の撮像情報の管理システムに対して、
撮像装置の時計機能が作動状態にあるか否かを判定する時計機能判定手段がさらに設けられ、
該時計機能判定手段によって撮像装置の時計機能が作動状態にあると判定され、さらに新規性判定手段によって撮像日時送信情報が新しいと判定されると、格納制御手段が、前記撮像日時送信情報と対応する撮像情報とを第２の格納手段に格納することを特徴とする撮像情報の管理システム。
【請求項５】
請求項２または請求項３記載の撮像情報の管理システムに対して、
撮像装置の時計機能の時間情報と撮像情報管理装置の時計機能の時計情報との時間差を検出する時間差検出手段がさらに設けられ、
該時間差検出手段によって検出される時間差が、予め設定した基準値以内であることが検出され、さらに新規性判定手段によって撮像日時送信情報が新しいと判定されると、格納制御手段が、前記撮像日時送信情報と対応する撮像情報とを第２の格納手段に格納することを特徴とする撮像情報の管理システム。
【請求項６】
請求項２または請求項３記載の撮像情報の管理システムに対して、
撮像装置の時計機能が作動状態にあるか否かを判定する時計機能判定手段と、撮像装置の時計機能の時間情報と撮像情報管理装置の時計機能の時計情報との時間差を検出する時間差検出手段とがさらに設けられ、
前記時計機能判定手段によって撮像装置の時計機能が作動状態にあると判定され、前記時間差検出手段によって検出される時間差が、予め設定した基準値以内であることが検出され、さらに新規性判定手段によって撮像日時送信情報が新しいと判定されると、格納制御手段が、前記撮像日時送信情報と対応する撮像情報とを第２の格納手段に格納することを特徴とする撮像情報の管理システム。
【請求項７】
被写体の撮像情報と該撮像情報を識別する識別情報とが格納　される第１の格納手段と、該第１の格納手段から選択読み出される撮像情報及び対応する識別情報が送信格納され、管理格納される第２の格納手段との間での撮影情報及び識別情報の転送、判定、格納管理を行なう情報管理方法であり、
前記第１の格納手段から識別情報を読み出して前記第２の格納手段に送信する識別情報送信ステップと、
該識別情報送信ステップにより送信される識別情報に基づいて、該識別情報に対応する撮像情報が、前記第２の格納手段の格納情報として新規情報であるか否かを判定する新規性判定ステップと、
該新規性判定ステップにより新規情報と判定されると、対応する撮像情報及び識別情報を、前記第２の格納手段に格納する格納制御ステップと
を有することを特徴とする情報管理方法。
【請求項８】
被写体の撮像情報と該撮像情報を識別する識別情報とが格納される第１の格納手段と、該第１の格納手段から選択読み出される撮像情報及び対応する識別情報が送信格納され、管理格納される第２の格納手段との間での撮影情報及び識別情報の転送、判定、格納管理を行なう情報管理方法のプログラムが格納される記憶媒体であり、　前記第１の格納手段から識別情報を読み出して前記第２の格納手段に送信する識別情報送信ステップのプログラムと、
該識別情報送信ステップにより送信される識別情報に基づいて、該識別情報に対応する撮像情報が、前記第２の格納手段の格納情報として新規情報であるか否かを判定する新規性判定ステップのプログラムと、
該新規性判定ステップにより新規情報と判定されると、対応する撮像情報及び識別情報を、前記第２の格納手段に格納する格納制御ステップのプログラムと
がコンピュータの書込の実行によって格納されていることを特徴とする記憶媒体。
【発明の詳細な説明】
【０００１】
【発明の属する技術分野】
本発明は撮像情報の管理システム、撮像情報の情報管理方法、及び撮像情報の情報管理プログラムが格納された記憶媒体に関する。
【０００２】
【従来の技術】
従来から、ディジタルカメラなどの撮像装置と、パソコンなどの撮像情報管理装置とを互いに接続して撮像情報の管理システムを構成し、撮像装置で撮像した撮像情報を撮像情報管理装置に転送して、撮像情報管理装置に管理格納し、撮像情報の利用時には、必要な撮像情報を撮像情報管理装置から読み出して利用することが行なわれている。
この種の撮像情報の管理システムでは、撮像装置で撮像して得た撮像情報を、撮像情報管理装置に転送する場合、撮像装置の一連の撮像動作により得た各種被写体の複数の撮像情報を一括して転送することが多い。このために、例えば、今回の撮像情報の撮像情報管理装置への転送処理時に、誤って前回の撮像情報をも転送することがままあり、同一の撮像情報が撮像情報管理装置に、無駄に重複して格納されることがあった。
【０００３】
この場合、撮像情報管理装置に転送される撮像情報は、アーカイバと呼ばれるソフトウェアを使用して、複数のファイルを一つのファイルにまとめるアーカイブ（Ａｒｃｈｉｖｅ）処理により、アーカイブファイルとして撮像情報管理装置に格納される。
そこで、重複格納を避けるために、従来の撮像情報の管理システムでは、アーカイブファイルの属性情報に基づいて、撮像装置側でのディスプレイへの撮像情報の表示によって、撮像装置から撮像情報の撮像情報管理装置への転送の有無を検知していた。
【０００４】
【発明が解決しようとする課題】
一方で、この種の撮像情報の管理システムに使用されるディジタルカメラなどの撮像装置は、携帯して使用されることが多く、撮像装置の小型軽量化は常に要求されている。
ところで、従来の撮像情報の管理システムにおいて、撮像装置側での撮像情報のディスプレイへの表示に基づいて、アーカイブファイルの属性情報により、撮像情報の転送の有無を検知する処理は、撮像情報数が多数の場合は複雑な処理を実行することが必要で、これに伴って撮像装置の構成が複雑となり小型化が阻まれることになる。
【０００５】
本発明は、この種の撮像情報の管理システムの動作の現状に鑑みてなされたものであり、その第１の目的は、撮像装置側の小型化が可能で、撮像情報管理装置に撮像情報を誤重複なしに適確に管理格納し、撮像情報の有効な利用が可能な撮像情報の管理システムを提供することにある。
【０００６】
本発明の第２の目的は、第１の格納手段から読み出される撮像情報が、第２の格納手段に重複して誤格納されることを防止して、第１の格納手段から読み出した撮像情報を、第２の格納手段に無駄なく適確に管理格納し、撮像情報を有効に利用することが可能な情報管理方法を提供することにある。
【０００７】
本発明の第３の目的は、第１の格納手段から読み出される撮像情報が、第２の格納手段に重複して誤格納されることを防止して、第１の格納手段から読み出した撮像情報を、第２の格納手段に無駄なく適確に管理格納し、撮像情報を有効に利用することが可能な情報管理方法のプログラムが格納された記憶媒体を提供することにある。
【０００８】
【課題を解決するための手段】
前記第１の目的を達成するために、請求項１記載の発明は、被写体の撮像情報と該撮像情報を識別する識別情報とが格納される第１の格納手段を備えた撮像装置と、前記第１の格納手段の格納情報から選択される撮像情報及び対応する識別情報が格納される第２の格納手段を備え、該第２の格納手段に格納される撮像情報及び識別情報を管理する撮像情報管理装置とからなる撮像情報の管理システムであり、前記第１の格納手段から識別情報を読み出して前記撮像情報管理装置に送信する識別情報送信手段が前記撮像装置に設けられ、前記識別情報送信手段により送信される識別情報に基づいて、該識別情報に対応する撮像情報が、前記第２の格納手段の格納情報として新規情報であるか否かを判定する新規性判定手段と、該新規性判定手段により新規情報と判定されると、対応する撮像情報及び識別情報を、前記第２の格納手段に格納する格納制御手段とが前記撮像情報管理装置に設けられていることを特徴とするものである。
【０００９】
このような手段によると、撮影装置では、識別情報送信手段によって、第１の格納手段から識別情報が読み出されて撮像情報管理装置に送信され、撮像情報管理装置では、識別情報送信手段によって送信される識別情報に基づいて、新規性判定手段によって、識別情報に対応する撮像情報が、第２の格納手段の格納情報として新規情報であるか否かが判定され、新規情報と判定されると、格納制御手段によって、対応する撮像情報及び識別情報が、第２の格納手段に格納され、撮像情報管理装置に設けた新規性判定手段の判定によって、撮像装置の第１の格納手段の撮像情報が、第２の格納手段に重複して誤格納されることが簡単に防止され、撮像装置で作成された撮像情報を、撮像情報管理装置に無駄なく適確に管理格納して、撮像情報の有効な利用が行なわれると共に、撮像装置側での判定処理が不要で撮像装置が小型化される。
【００１０】
同様に前記第１の目的を達成するために、請求項２記載の発明は、請求項１記載の発明において、識別情報が撮像日時情報であり、新規性判定手段が、識別情報送信手段により送信される撮像日時送信情報と、第２の格納手段から読み出される最新の撮像日時格納情報とを比較し、前記撮像日時送信情報が新しいと判定されると、格納制御手段が、前記撮像日時送信情報と対応する撮像情報とを前記第２の格納手段に格納することを特徴とするものである。
【００１１】
このような手段によると、請求項１記載の発明での作用に加えて、新規性判定手段が、識別情報を撮像日時情報として、識別情報送信手段によって送信される撮像日時送信情報と、第２の格納手段から読み出される最新の撮像日時格納情報とを比較することにより、撮像日時送信情報の新規性を判定するので、識別情報の別途作成が不要で迅速簡単に新規性判断が行なわれる。
【００１２】
同様に前記第１の目的を達成するために、請求項３記載の発明は、請求項１記載の発明において、識別情報が撮像日時情報であり、新規性判定手段が、識別情報送信手段により送信される撮像日時送信情報と、第２の格納手段から読み出される全ての撮像日時格納情報とを比較し、前記撮像日時送信情報が新しいと判定されると、格納制御手段が、前記撮像日時送信情報と対応する撮像情報とを前記第２の格納手段に格納することを特徴とするものである。
【００１３】
このような手段によると、請求項１記載の発明での作用に加えて、新規性判定手段が、識別情報を撮像日時情報として、識別情報送信手段によって送信される撮像日時送信情報と、第２の格納手段から読み出される全ての撮像日時格納情報とを比較することにより、撮像日時送信情報の新規性を判定するので、識別情報の別途作成が不要で、簡単に新規性の判定が行なわれると共に、撮像日時送信情報が、全ての撮像日時格納情報と比較されるので、正確な新規性判断が行なわれる。
【００１４】
同様に前記第１の目的を達成するために、請求項４記載の発明は、請求項２または請求項３記載の発明に対して、撮像装置の時計機能が作動状態にあるか否かを判定する時計機能判定手段がさらに設けられ、該時計機能判定手段によって撮像装置の時計機能が作動状態にあると判定され、さらに新規性判定手段によって撮像日時送信情報が新しいと判定されると、格納制御手段が、前記撮像日時送信情報と対応する撮像情報とを第２の格納手段に格納することを特徴とするものである。
【００１５】
このような手段によると、撮像装置の時計機能が作動状態にあるか否かを判定する時計機能判定手段によって撮像装置の時計機能が作動状態にあると判定され、さらに新規性判定手段によって撮像日時送信情報が新しいと判定されると、格納制御手段が、撮像日時送信情報と対応する撮像情報とを第２の格納手段に格納するので、請求項２または請求項３記載の発明での作用に加えて、撮像装置の時計機能が正常であることの確認に基づいたより正確な新規性判断が行なわれる。
【００１６】
同様に前記目的を達成するために、請求項５記載の発明は、請求項２または請求項３記載の発明に対して、撮像装置の時計機能の時間情報と撮像情報管理装置の時計機能の時計情報との時間差を検出する時間差検出手段がさらに設けられ、該時間差検出手段によって検出される時間差が、予め設定した基準値以内であることが検出され、さらに新規性判定手段によって撮像日時送信情報が新しいと判定されると、格納制御手段が、前記撮像日時送信情報と対応する撮像情報とを第２の格納手段に格納することを特徴とするものである。
【００１７】
このような手段によると、撮像装置の時計機能の時間情報と撮像情報管理装置の時計機能の時計情報との時間差を検出する時間差検出手段によって検出される時間差が、予め設定した基準値以内であることが検出され、さらに新規性判定手段によって撮像日時送信情報が新しいと判定されると、格納制御手段が、前記撮像日時送信情報と対応する撮像情報とを第２の格納手段に格納するので、請求項２または請求項３記載の発明での作用に加えて、撮像装置側と撮像情報管理装置側での時間情報が基準値以内で一致していることの確認に基づいて、高精度の新規性判断が行なわれる。
【００１８】
同様に前記第１の目的を達成すめために、請求項６記載の発明は、請求項２または請求項３記載の発明に対して、撮像装置の時計機能が作動状態にあるか否かを判定する時計機能判定手段と、撮像装置の時計機能の時間情報と撮像情報管理装置の時計機能の時計情報との時間差を検出する時間差検出手段とがさらに設けられ、前記時計機能判定手段によって撮像装置の時計機能が作動状態にあると判定され、前記時間差検出手段によって検出される時間差が、予め設定した基準値以内であることが検出され、さらに新規性判定手段によって撮像日時送信情報が新しいと判定されると、格納制御手段が、前記撮像日時送信情報と対応する撮像情報とを第２の格納手段に格納することを特徴とするものである。
【００１９】
このような手段によると、撮像装置の時計機能が作動状態にあるか否かを判定する時計機能判定手段によって撮像装置の時計機能が作動状態にあると判定され、撮像装置の時計機能の時間情報と撮像情報管理装置の時計機能の時計情報との時間差を検出する時間差検出手段によって検出される時間差が、予め設定した基準値以内であることが検出され、さらに、新規性判定手段によって撮像日時送信情報が新しいと判定されると、格納制御手段が、撮像日時送信情報と対応する撮像情報とを第２の格納手段に格納するので、請求項２または請求項３記載の発明での作用に加えて、撮像装置の時計機能が正常であることの確認と撮像装置側と撮像情報管理装置側での時間情報が基準値以内で一致していることの確認に基づいて、より高精度で適確度の高い新規性判断が行なわれる。
【００２０】
前記第２の目的を達成するために、請求項７記載の発明は、被写体の撮像情報と該撮像情報を識別する識別情報とが格納　される第１の格納手段と、該第１の　格納手段から選択読み出される撮像情報及び対応する識別情報が送信格納され、管理格納される第２の格納手段との間での撮影情報及び識別情報の転送、判定、格納管理を行なう情報管理方法であり、前記第１の格納手段から識別情報を読み出して前記第２の格納手段に送信する識別情報送信ステップと、該識別情報送信ステップにより送信される識別情報に基づいて、該識別情報に対応する撮像情報が、前記第２の格納手段の格納情報として新規情報であるか否かを判定する新規性判定ステップと、該新規性判定ステップにより新規情報と判定されると、対応する撮像情報及び識別情報を、前記第２の格納手段に格納する格納制御ステップとを有することを特徴とするものである。
【００２１】
このような手段によると、識別情報送信ステップで、第１の格納手段から識別情報が読み出されて、第２の格納手段に送信され、識別情報送信ステップにより送信される識別情報に基づいて、新規性判定ステップで、送信される識別情報に対応する撮像情報が、第２の格納手段の格納情報として新規情報であるか否かの判定が行なわれ、新規情報と判定されると、格納制御ステップで、対応する撮像情報及び識別情報が第２の格納手段に格納されるので、新規性判定ステップでの判定によって、第１の格納手段から読み出される撮像情報が、第２の格納手段に重複して誤格納されることが簡単に防止され、第１の格納手段から読み出した撮像情報を、第２の格納手段に無駄なく適確に管理格納して、撮像情報が有効に利用される。
【００２２】
前記第３の目的を達成するために、請求項８記載の発明は、被写体の撮像情報と該撮像情報を識別する識別情報とが格納される第１の格納手段と、該第１の格納手段から選択読み出される撮像情報及び対応する識別情報が送信格納され、管理格納される第２の格納手段との間での撮影情報及び識別情報の転送、判定、格納管理を行なう情報管理方法のプログラムが格納される記憶媒体であり、前記第１の格納手段から識別情報を読み出して前記第２の格納手段に送信する識別情報送信ステップのプログラムと、該識別情報送信ステップにより送信される識別情報に基づいて、該識別情報に対応する撮像情報が、前記第２の格納手段の格納情報として新規情報であるか否かを判定する新規性判定ステップのプログラムと、該新規性判定ステップにより新規情報と判定されると、対応する撮像情報及び識別情報を、前記第２の格納手段に格納する格納制御ステップのプログラムとがコンピュータの書込の実行によって格納されていることを特徴とするものである。
【００２３】
このような手段では、記憶媒体から、第１の格納手段から識別情報を読み出して第２の格納手段に送信する識別情報送信ステップのプログラムが読み出され、識別情報送信ステップにより送信される識別情報に基づいて、識別情報に対応する撮像情報が、第２の格納手段の格納情報として新規情報であるか否かを判定する新規性判定ステップのプログラムが読み出され、新規性判定ステップにより新規情報と判定されると、対応する撮像情報及び識別情報を、第２の格納手段に格納する格納制御ステップのプログラムが読み出されることによって、新規性判定ステップでの判定によって、第１の格納手段から読み出される撮像情報が、第２の格納手段に重複して誤格納されることが簡単に防止され、第１の格納手段から読み出した撮像情報が、第２の格納手段に無駄なく適確に管理格納され、撮像情報が有効に利用される。
【００２４】
【発明の実施の形態】
以下に本発明を撮像情報の管理システムに係る一実施の形態に基づいて図面を参照して説明する。
図１は本実施の形態の全体構成を示すブロック図、図２は図１の撮像装置に格納される画像データファイルの例を示す説明図、図３は図１の撮像情報管理装置に格納される画像データファイルの例を示す説明図である。
【００２５】
本実施では、図１に示すように、被写体の撮像を行なう撮像装置２５が、撮像情報の管理格納を行なう撮像情報管理装置１８に接続された構成となっていて、撮像装置２５においては、電子シャツタ機能を備え、被写体の光像を光電変換して出力するＣＣＤ（Ｃｈａｒｇｅ　Ｃｏｕｐｌｅｄ　Ｄｅｖｉｃｅ；電荷結合デバイス）１が配設され、ＣＣＤ１の出力端子に、ＣＣＤ１の出力信号の雑音抑制を行なうＣＤＳ（Ｃｏｒｒｅｌａｔｅｄ　Ｄｏｕｂｌｅ　Ｓａｍｐｌｉｎｇ　Ｃｉｒｃｕｉｔ；相関２重サンプリング回路）２が接続され、ＣＤＳ２の出力端子には、ＣＤＳ２の出力信号を、例えばＮＴＳＣ信号のサブキャリア周波数の整数倍でＡＤ変換を行なうＡＤ変換回路３が接続されている。
また、ＡＤ変換回路３の出力端子には、ＡＤ変換回路の出力信号に対して、ガンマ処理、色分離の信号処理をして輝度信号Ｙ、色差信号Ｃｂ、Ｃｒを作成するディジタル信号処理ユニット６が接続されている。
【００２６】
一方、本実施の形態には、全体の動作を制御するＣＰＵ７が配設され、このＣＰＵ７には、時計機能部８が設けられ、さらに、図示はしないがＹＵＶ変換機能部、圧縮・伸長処理部、画像表示信号を作成する表示処理部が設けられている。このＣＰＵ７には、前述のディジタル信号処理ユニット６と、信号インタフェース１６とが信号の授受自在に接続され、さらに、ＣＣＤ１、ＣＤＳ２及びＡＤ変換回路３にそれぞれ制御信号を出力する駆動制御部５が接続されている。
同様に、ＣＰＵ７には、制御プログラムが格納されたＲＯＭ１３と、制御動作時に各種の信号が書込まれ、また読み出されるＲＡＭ１２とが信号の授受自在に接続されている。
また、ＣＰＵ７には、ＳＤＲＡＭなどの固定メモリ１０と、メモリカードなどの着脱自在な外部メモリ１１とが信号の授受自在に接続されており、さらに、ＣＰＵ７には、オペレータが各種の指令信号を入力する操作部２０が接続され、各種のデータが表示される表示部２１が接続されている。
【００２７】
そして、本実施の形態では、バッテリー１５の出力端子が接続されて、装置各部にそれぞれ所定の直流電圧を供給するＤＣ−ＤＣ変換回路１４が配設され、このＤＣ−ＤＣ変換回路１４の制御端子にＣＰＵ７が接続され、さらに、通信インタフェース１６に通信コネクタ１７を介して、撮像装置２５から撮像情報と識別情報が送信されて格納管理される管理メモリ２６を備えた撮像情報管理装置１８が信号の授受自在に接続されている。
【００２８】
このような構成の本実施の形態の撮像動作は、以下のようにして行なわれる。撮像動作が開始されると、操作部２０からの指令信号に基づいて、ＣＰＵ７により駆動制御部５が作動状態となり、ＣＣＤ１に入射される被写体光像は、ＣＣＤ１に入力される制御信号により、ＣＣＤ１にマトリクス状に配列されているホトダイオードに入射され、電子シャッタ動作によって、蓄積時間が制御された状態で蓄積される。
この電子シャッタ動作に基づき、被写体の入射光像は、ＣＣＤ１によってアナログ電気信号に光電変換されてＣＣＤ１から出力され、ＣＤＳ２によって相関２重サンプリングによる低雑音化処理が施され、ＡＤ変換回路３で、例えば、ＮＴＳＣ信号のサブキャリア周波数の整数倍のサンプリング周波数でＡＤ変換され、ディジタル信号処理ユニット６に入力される。
このようにして、ディジタル信号処理ユニット６に入力される被写体光像のディジタル信号は、ＣＰＵ７の制御によって、先ず、ＣＣＤ配列のままのＲａｗ信号データとしてＲＡＭ１２に格納される。
【００２９】
そして、ＣＰＵ７の制御によって、ＲＡＭ１２から読み出されたＲａｗ信号データが、ディジタル信号処理ユニット６によって、ガンマ処理、色分離の信号処理が施されて輝度信号Ｙ、色差信号Ｃｂ、Ｃｒが作成され、ＣＰＵ７の制御によって、ＹＵＶ変換によるＮＴＳＣ信号の取得が行なわれ、表示処理部によつて被写体の画像表示信号が作成され、表示部２１に被写体画像の表示が行なわれる。
【００３０】
一方、被写体の撮像画像データを固定メモリ１０或いは外部メモリ１１に格納する場合には、ＣＰＵ７の制御によって、ＲＡＭ１２から読み出されるＲａｗ信号データがＹＵＶ変換され、直交変換やハフマン符号化による圧縮処理が施され、ＲＡＭ１２に圧縮データとして格納され、次いでＲＡＭ１２から読み出された圧縮データが、固定メモリ１０或いは外部メモリ１１に、図２に示すように撮像日時情報が識別信号として付加されて格納される。
【００３１】
次に、本実施の形態の撮像データの撮像情報管理装置への転送管理格納動作を説明する。
［第１の転送管理モード］
本実施の形態の第１の転送管理モードでの転送管理格納動作を、図４のフローチャートに基づいて説明する。
図４は本実施の形態による第１の転送管理モードでの撮像情報転送管理動作を示すフローチャートである。
【００３２】
図４のフローチャートのステップＳ１で被写体の撮像が行なわれ、ステップＳ２に進んで、被写体の撮像で得られる撮像データに対して、すでに説明したような信号処理が施された画像データに、識別情報として撮像日時情報が付加され、画像データファイルとして固定メモリ１０または外部メモリ１１に格納される。次いで、ステップＳ３に進んで、ＣＰＵ７の指令によって、固定メモリ１０または外部メモリ１１から、格納された画像データファイルの図２に示すような撮像日時情報が読み出され、読み出された撮像日時情報は、通信インタフェース１６及び通信コネクタ１７を介して、撮像情報管理装置１８に送信される。
【００３３】
撮像情報管理装置１８では、ステップＳ４において、管理メモリ２６に格納されている画像データファイルから、最も新しい撮像日時情報を検索して読出し、ステップＳ５に進んで、撮像情報管理装置１８では、取得した最新の撮像日時情報よりも、ステップＳ３で撮像装置２５から送信された撮像日時情報の方が新しいか否かの判定が行なわれる。
ステップＳ５で、撮像装置２５から送信された撮像日時情報が新しくないと判定されると、撮像データの誤重複転送と判断して処理を終了し、ステップＳ５で撮像装置２５からの撮像日時情報が、管理メモリ２６に格納されている最新の撮像日時情報よりも新しいと判定されると、ステップＳ６に進んで、撮像情報管理装置１８によって、撮像装置２５の固定メモリ１０または外部メモリ１１から、判定に係る撮像日時情報に対応する画像データが取り込まれ、管理メモリ２６に撮像日時情報に対応付けて画像データファイルとして格納され、ステップＳ７に進んで最新の撮像日時情報の更新が行なわれる。
【００３４】
以上に説明したように、第１の転送管理モードによると、撮像した画像データを撮像情報管理装置１８に転送して管理格納する場合、先ず、該画像データに対応する撮像日時情報を送信し、撮像情報管理装置１８によって、受信した撮像日時情報が管理メモリ２６に格納されている最新の撮像日時情報よりも新しいことが確認された後に、撮像情報管理装置１８によつて、撮像装置２５の固定メモリ１０或いは外部メモリ１１から、該撮像日時情報に対応する画像データが取り込まれ、撮像日時情報に対応付けて画像データファイルとして管理メモリ２６に格納される。
このようにして、受信した撮像日時情報の新規性判定と新規性が判定された撮像日時情報に対応する画像データの撮像装置２５からの取込みとが、情報処理能力の高い撮像情報管理装置１８で行なわれるので、撮像装置２５の構成を簡易にして小型化を実現した状態で、簡単迅速な処理により管理メモリ２６への撮像画像データの誤重複格納を防止することが可能になる。
【００３５】
［第２の転送管理モード］
本実施の形態の第２の転送管理モードでの転送管理格納動作を、図５のフローチャートに基づいて説明する。
図５は本実施の形態による第２の転送管理モードでの撮像情報転送管理動作を示すフローチャートである。
【００３６】
図５のフローチャートのステップＳ１１ないしステップＳ１３の動作は、すでに説明した第１の転送管理モードの図４のフローチャートのステップＳ１ないしステップＳ３の動作とそれぞれ同一なので、重複する説明は行なわない。
【００３７】
第２の転送管理モードでは、図５のフローチャートのステップＳ１４で、撮像情報管理装置１８によって、管理メモリ２６から、図３に示すように、過去に受信した画像データファイルの撮像日時情報が読み出され、ステップＳ１５に進んで、撮像装置２５から受信した撮像日時情報が、管理メモリ２６に格納されているか否かが判定され、同一の撮像日時情報が管理メモリ２６に格納されていると、誤重複格納を避けて処理を終了する。また、ステップＳ１５で、同一の撮像日時情報が管理メモリ２６に格納されていないと判定されると、ステップＳ１６に進んで、撮像情報管理装置１８によって、撮像装置２５の固定メモリ１０または外部メモリ１１から、判定に係る撮像日時情報に対応する画像データが取り込まれ、画像データファイルとして管理メモリ２６に格納され、ステップＳ１７に進んで、受信した画像データファイルの撮像日時情報が管理メモリ２６に追加格納される。
【００３８】
このようにして、第２の転送管理モードによると、撮像装置２５から送信される撮像日時情報と、管理メモリ２６に格納された全ての撮像日時情報とを比較することにより、確実な新規性判断を行なって第１の転送管理モードで得られる効果を実現することが可能になる。
【００３９】
［第３の転送管理モード］
本実施の形態の第３の転送管理モードでの転送管理格納動作を、図６のフローチャートに基づいて説明する。
図６は本実施の形態による第３の転送管理モードでの撮像情報転送管理動作を示すフローチャートである。
【００４０】
図６のフローチャートのステップＳ２１、ステップＳ２２、ステップＳ２４、ステップＳ２６ないしステップＳ２９の動作は、すでに説明した第１の転送管理モードの図４のフローチャートのステップＳ１、ステップＳ２、ステップＳ３、ステップＳ４ないしステップＳ７の動作とそれぞれ同一なので、重複する説明は行なわない。
【００４１】
この第３の転送管理モードでは、ステップＳ２２において、撮像装置２５側での画像データに撮像日時情報が付加されたファイルの固定メモリ１０または外部メモリ１１への格納後に、ステップＳ２３に進んで、撮像装置２５側でＣＰＵ７により時計機能部８に時計情報が設定されているか否かの情報が、撮像情報管理装置１８に送信される。
一方、撮像情報管理装置１８では、撮像装置２５側で時計情報が設定されているか否かの情報と、画像データファイルの撮像日時情報とを受信すると、ステップＳ２５で、撮像装置２５で時計情報が設定されているかどうかの判定を行い、時計情報が設定されていないと判定されると処理を終了し、時計情報が設定されていると判定されると、ステップＳ２６に進んで、以下はすでに図４に基づいて説明した第１の転送管理モードと同一の動作が行なわれる。
【００４２】
このように、第３の転送管理モードでは、すでに説明した第１の転送管理モードで得られる効果に加えて、事前に撮像装置２５で時計情報が設定されているか否かを判定し、時計情報が設定されていないと、直ちに処理を中止して無駄な動作を避けて効率的に画像データの転送格納を行なうことが可能になる。
【００４３】
［第４の転送管理モード］
本実施の形態の第４の転送管理モードでの転送管理格納動作を、図７のフローチャートに基づいて説明する。
図７は本実施の形態による第４の転送管理モードでの撮像情報転送管理動作を示すフローチャートである。
【００４４】
図７のフローチャートのステップＳ３１ないしステップＳ３５、ステップＳ３８の動作は、すでに説明した第３の転送管理モードの図６のステップ２１ないしステップＳ２５、ステップ２８の動作とそれぞれ同一なので、重複する説明は行なわない。
【００４５】
第４の転送管理モードでは、ステップＳ３５で、撮像装置２５に時計情報が設定されていると判定されると、ステップＳ３６に進んで、撮像情報管理装置１８によって、管理メモリ２６より、図３に示すような過去に受信した画像データファイルの撮像日時情報が読み出され、ステップＳ３７に進んで、ステップＳ３４の送信により受信した撮像装置２５からの撮像日時情報が管理メモリ２６に存在するか否かの判定が行なわれる。
そして、ステップＳ３７で管理メモリ２６には、撮像装置２５から受信した撮像日時情報が存在しないと判定されると、ステップＳ３８を介してステップＳ３９に進み、撮像情報管理装置１８によって、ステップＳ３４の送信により受信した画像データファイルの撮像日時情報が管理メモリ２６に追加格納される。
【００４６】
このようにして、第４の転送管理モードによると、撮像装置２５から送信される撮像日時情報と、管理メモリ２６に格納された全ての撮像日時情報とを比較することにより、確実な新規性判断を行なって、第３の転送管理モードで得られる効果を実現することが可能になる。
【００４７】
［第５の転送管理モード］
本実施の形態の第５の転送管理モードでの転送管理格納動作を、図８のフローチャートに基づいて説明する。
図８は本実施の形態による第５の転送管理モードでの撮像情報転送管理動作を示すフローチャートである。
【００４８】
図８のフローチャートのステップＳ４１、ステップ４２、ステップＳ４４、ステップＳ４６ないしステップＳ４９の動作は、すでに、説明した第３の転送管理モードの図６のフローチャートのステップＳ２１、ステップＳ２２、ステップＳ２４、ステップＳ２６ないしステップＳ２９の動作とそれぞれ同一なので、重複する説明は行なわない。
【００４９】
第５の転送管理モードでは、図８のフローチャートのステップＳ４３において、撮像装置２５から時計情報が撮像情報管理装置１８に送信される。
そして、ステップＳ４５において、撮像情報管理装置１８によって、撮像装置２５側の時計情報と、撮像情報管理装置１８側の時計情報とが、予め設定した許容時間内で一致しているか否かが判定され、許容時間内で一致していない場合には処理を終了し、許容時間内で一致している場合には、ステップＳ４６に進んで以下の動作が、図６のフローチャートの場合と同様に実行される。
【００５０】
このように第５の転送管理モードによると、第３の転送管理モードで得られる効果に加えて、撮像装置２５側と撮像情報管理装置１８側での時間情報が許容値以内で一致していることの確認に基づいて、高精度の新規性判断を行なうことが可能になる。
【００５１】
［第６の転送管理モード］
本実施の形態の第６の転送管理モードでの転送管理格納動作を、図９のフローチャートに基づいて説明する。
図９は本実施の形態による第６の転送管理モードでの撮像情報転送管理動作を示すフローチャートである。
【００５２】
図９のステップＳ５１ないしステップＳ５６、ステップＳ５８の動作は、すでに説明した第５の転送管理モードの図８のステップＳ４１ないしステップＳ４６、ステップＳ４８の動作とそれぞれ同一なので、重複する説明は行なわない。
【００５３】
第６の転送管理モードでは、ステップＳ５７において、撮像情報管理装置１８によって、撮像装置２５から受信した撮像日時情報が、管理メモリ２６に存在するか否かの判定が行なわれ、受信した撮像日時情報が、管理メモリ２６に存在しないと判定されると直ちに処理を終了し、該撮像日時情報が管理メモリ２６に存在すると判定されると、ステップＳ５８を介して、ステップＳ５９に進んで、撮像情報管理装置１８によって、受信した画像データファイルの撮像日時情報が、管理メモリ２６に追加格納される。
【００５４】
このようにして、第６の転送管理モードによると、撮像装置２５から送信される撮像日時情報と、管理メモリ２６に格納された全ての撮像日時情報とを比較することにより、確実な新規性判断を行なって、第５の転送管理モードで得られる効果を実現することが可能になる。
【００５５】
［第７の転送管理モード］
本実施の形態の第７の転送管理モードでの転送管理格納動作を、図１０のフローチャートに基づいて説明する。
図１０は本実施の形態による第７の転送管理モードでの撮像情報転送管理動作を示すフローチャートである。
【００５６】
図１０のフローチャートのステップＳ６１、ステップＳ６２、ステップＳ６４、ステップＳ６５、ステップＳ６７ないしステップＳ７１の動作は、すでに説明した第５の転送管理モードの図８のフローチャートのステップＳ４１、ステップＳ４２、ステップＳ４３、ステップＳ４４、ステップＳ４５ないしステップＳ４９の動作とそれぞれ同一なので、重複する説明は行なわない。
【００５７】
第７の転送管理モードでは、ステップＳ６３で、撮像装置２５から時計情報が設定されているか否かの情報が、撮像情報管理装置１８に送信された後に、ステップＳ６４に進んで時計情報が撮像情報管理装置１８に送信され、ステップＳ６５を介してステップＳ６６において、撮像情報管理装置１８によつて、撮像装置２５側で時計情報が設定されているか否かの判定が行なわれる。
そして、ステップＳ６６で撮像装置２５側で時計情報が設定されていないと判定されると直ちに処理を終了し、ステップＳ６６で撮像装置２５側で時計情報が設定されていると判定されると、ステップＳ６７に進んで、以下はすでに説明した第５の転送管理モードの図８のフローチャートと同一の動作が行なわれる。
【００５８】
このように、第７の転送管理モードによると、すでに説明した第５の転送管理モードで得られる効果に加えて、事前に撮像装置２５で時計情報が設定されているか否かを判定し、時計情報が設定されていないと、直ちに処理を中止して無駄な動作を避けて効率的に画像データの転送格納を行なうことが可能になる。
【００５９】
［第８の転送管理モード］
本実施の形態の第８の転送管理モードでの転送管理格納動作を、図１１のフローチャートに基づいて説明する。
図１１は本実施の形態による第８の転送管理モードでの撮像情報転送管理動作を示すフローチャートである。
【００６０】
図１１のフローチャートのステップＳ８１ないしステップＳ８７、ステップＳ９０の動作は、すでに説明した第７の転送管理モードの図１０のフローチャートのステップＳ６１ないしステップＳ６７、ステップＳ７０の動作とそれぞれ同一なので、重複する説明は行なわない。
【００６１】
第８の転送管理モードでは、ステップＳ８８において、撮像情報管理装置１８によって、管理メモリ２６から図３に示すような過去に受信した画像データファイルの撮像日時情報が読み出され、ステップＳ８９に進んで、ステップＳ８４の送信により、撮像装置２５から受信した撮像日時情報が管理メモリ２６に存在するか否かの判定が行なわれる。　そして、ステップＳ８９で、受信した撮像日時情報が、管理メモリ２６に存在しないと判定されると直ちに処理が終了され、ステップＳ８９で、受信した撮像日時情報が、管理メモリ２６に存在すると判定されると、ステップＳ９０を介して、ステップＳ９１に進んで、撮像情報管理装置１８によって、受信した画像データファイルの撮像日時情報が、管理メモリ２６に追加格納される。
【００６２】
このように、第８の転送管理モードでは、撮像装置２５から送信される撮像日時情報と、管理メモリ２６に格納された全ての撮像日時情報とを比較することにより、確実な新規性判断を行なって、第７の転送管理モードで得られる効果を実現することが可能になる。
【００６３】
以上に説明したように、本実施の形態によると、撮像装置２５で撮像される被写体の画像データと対応する撮像日時情報は、ディジタル信号処理ユニットとＣＰＵ７による必要な信号処理の後に、固定メモリ１０または外部メモリ１１に画像データファイルとして格納され、固定メモリ１０または外部メモリ１１から読み出され、通信インタフェース１６及び通信コネクタ１７を介して、撮像情報管理装置１８に転送され管理メモリ２６に画像データファイルとして管理格納される。
この管理格納に際して、撮像装置２５側から先ず撮像情報管理装置１８に撮像日時情報が送信され、撮像情報管理装置１８により、管理メモリ２６に同一の撮像日時情報が格納されていないことが確認された後に、対応する画像データファイルが取込まれ管理メモリ２６に格納されるので、誤重複格納を避けて画像データファイルの適確で効率的な管理格納が可能になると共に、画像情報管理装置１８で重複を避けるための判定と対応する画像データファイルの取込みとを行なうため、撮像装置２５側の構成を簡易化し、撮像装置２５の大幅な小型化が可能になる。
【００６４】
なお、以上の実施の形態では、識別情報を撮像日時情報とした場合を説明したが、本発明はこの実施の形態に限定されるものではなく、例えば、撮像時に画像ファイルのヘッダに書き込む文字列を識別情報とすることも可能である。
【００６５】
【発明の効果】
請求項１記載の発明は、被写体の撮像情報と該撮像情報を識別する識別情報とが格納される第１の格納手段を備えた撮像装置と、第１の格納手段の格納情報から選択される撮像情報及び対応する識別情報が格納される第２の格納手段を備え、第２の格納手段に格納される撮像情報及び識別情報を管理する撮像情報管理装置とからなる撮像情報の管理システムであるが、撮影装置では、識別情報送信手段によって、第１の格納手段から識別情報が読み出されて撮像情報管理装置に送信され、撮像情報管理装置では、識別情報送信手段によって送信される識別情報に基づいて、新規性判定手段によって、識別情報に対応する撮像情報が、第２の格納手段の格納情報として新規情報であるか否かが判定され、新規情報と判定されると、格納制御手段によって、対応する撮像情報及び識別情報が、第２の格納手段に格納される。
このようにして、撮像情報管理装置に設けた新規性判定手段の判定によって、撮像装置の第１の格納手段の撮像情報が、第２の格納手段に重複して誤格納されることが簡単に防止され、撮像装置で作成された撮像情報を、撮像情報管理装置に無駄なく適確に管理格納して、撮像情報を有効に利用することが可能になると共に、撮像装置側での判定処理が不要となって撮像装置の小型化も可能になる。
【００６６】
請求項２記載の発明によると、請求項１記載の発明で得られる効果に加えて、新規性判定手段が、識別情報を撮像日時情報として、識別情報送信手段によって送信される撮像日時送信情報と、第２の格納手段から読み出される最新の撮像日時格納情報とを比較することにより、撮像日時送信情報の新規性を判定するので、識別情報の別途作成が不要となり、迅速簡単に新規性判断を行なうことが可能になる。
【００６７】
請求項３記載の発明によると、請求項１記載の発明で得られる効果に加えて、新規性判定手段が、識別情報を撮像日時情報として、識別情報送信手段によって送信される撮像日時送信情報と、第２の格納手段から読み出される全ての撮像日時格納情報とを比較することにより、撮像日時送信情報の新規性を判定するので、識別情報の別途作成が不要となり、簡単に新規性が判定可能になると共に、撮像日時送信情報が、全ての撮像日時格納情報と比較されるので、正確な新規性判断を行なうことが可能になる。
【００６８】
請求項４記載の発明によると、撮像装置の時計機能が作動状態にあるか否かを判定する時計機能判定手段によって撮像装置の時計機能が作動状態にあると判定され、さらに新規性判定手段によって撮像日時送信情報が新しいと判定されると、格納制御手段が、撮像日時送信情報と対応する撮像情報とを第２の格納手段に格納するので、請求項２または請求項３記載の発明で得られる効果に加えて、撮像装置の時計機能が正常であることの確認に基づいたより正確な新規性判断を行なうことが可能になる。
【００６９】
請求項５記載の発明によると、撮像装置の時計機能の時間情報と撮像情報管理装置の時計機能の時計情報との時間差を検出する時間差検出手段によって検出される時間差が、予め設定した基準値以内であることが検出され、さらに新規性判定手段によって撮像日時送信情報が新しいと判定されると、格納制御手段が、前記撮像日時送信情報と対応する撮像情報とを第２の格納手段に格納するので、請求項２または請求項３記載の発明で得られる効果に加えて、撮像装置側と撮像情報管理装置側での時間情報が基準値以内で一致していることの確認に基づいて、高精度の新規性判断を行なうことが可能になる。
【００７０】
請求項６記載の発明によると、撮像装置の時計機能が作動状態にあるか否かを判定する時計機能判定手段によって撮像装置の時計機能が作動状態にあると判定され、撮像装置の時計機能の時間情報と撮像情報管理装置の時計機能の時計情報との時間差を検出する時間差検出手段によって検出される時間差が、予め設定した基準値以内であることが検出され、さらに、新規性判定手段によって撮像日時送信情報が新しいと判定されると、格納制御手段が、撮像日時送信情報と対応する撮像情報とを第２の格納手段に格納するので、請求項２または請求項３記載の発明で得られる効果に加えて、撮像装置の時計機能が正常であることの確認と撮像装置側と撮像情報管理装置側での時間情報が基準値以内で一致していることの確認に基づいて、より高精度で適確度の高い新規性判断を行なうことが可能になる。
【００７１】
請求項７記載の発明は、被写体の撮像情報と撮像情報を識別する識別情報とが格納される第１の格納手段と、第１の格納手段から選択読み出される撮像情報　及び対応する識別情報が送信格納され、管理格納される第２の格納手段との間での撮影情報及び識別情報の転送、判定、格納管理を行なう情報管理方法である。ここでは、識別情報送信ステップで、第１の格納手段から識別情報が読み出されて、第２の格納手段に送信され、識別情報送信ステップにより送信される識別情報に基づいて、新規性判定ステップで、送信される識別情報に対応する撮像情報が、第２の格納手段の格納情報として新規情報であるか否かの判定が行なわれ、新規情報と判定されると、格納制御ステップで、対応する撮像情報及び識別情報が第２の格納手段に格納されるので、新規性判定ステップでの判定によって、第１の格納手段から読み出される撮像情報が、第２の格納手段に重複して誤格納されることが簡単に防止され、第１の格納手段から読み出した撮像情報を、第２の格納手段に無駄なく適確に管理格納して、撮像情報を有効に利用することが可能になる。
【００７２】
請求項８記載の発明は、被写体の撮像情報と撮像情報を識別する識別情報とが格納される第１の格納手段と、第１の格納手段から選択読み出される撮像情報及び対応する識別情報が送信格納され、管理格納される第２の格納手段との間での撮影情報及び識別情報の転送、判定、格納管理を行なう情報管理方法のプログラムが、コンピュータの書込の実行によって格納される記憶媒体である。
本発明に係る記憶媒体から、第１の格納手段から識別情報を読み出して第２の格納手段に送信する識別情報送信ステップのプログラムが読み出され、識別情報送信ステップにより送信される識別情報に基づいて、識別情報に対応する撮像情報が、第２の格納手段の格納情報として新規情報であるか否かを判定する新規性判定ステップのプログラムが読み出され、新規性判定ステップにより新規情報と判定されると、対応する撮像情報及び識別情報を、第２の格納手段に格納する格納制御ステップのプログラムが読み出されることによって、新規性判定ステップでの判定によって、第１の格納手段から読み出される撮像情報が、第２の格納手段に重複して誤格納されることが簡単に防止され、第１の格納手段から読み出した撮像情報を、第２の格納手段に無駄なく適確に管理格納して、撮像情報を有効に利用することが可能になる。
【図面の簡単な説明】
【図１】本発明の撮像情報の管理システムに係る一実施の形態の全体構成を示すブロック図である。
【図２】図１の撮像装置に格納される画像データファイルの例を示す説明図である。
【図３】図１の撮像情報管理装置に格納される画像データファイルの例を示す説明図である。
【図４】本発明の撮像情報の管理システムに係る一実施の形態による第１の転送管理モードでの撮像情報転送管理動作を示すフローチャートである。
【図５】同実施の形態による第２の転送管理モードでの撮像情報転送管理動作を示すフローチャートである。
【図６】同実施の形態による第３の転送管理モードでの撮像情報転送管理動作を示すフローチャートである。
【図７】同実施の形態による第４の転送管理モードでの撮像情報転送管理動作を示すフローチャートである。
【図８】同実施の形態による第５の転送管理モードでの撮像情報転送管理動作を示すフローチャートである。
【図９】同実施の形態による第６の転送管理モードでの撮像情報転送管理動作を示すフローチャートである。
【図１０】同実施の形態による第７の転送管理モードでの撮像情報転送管理動作を示すフローチャートである。
【図１１】同実施の形態による第８の転送管理モードでの撮像情報転送管理動作を示すフローチャートである。
【符号の説明】
５　駆動制御部
６　ディジタル信号処理ユニット
７　ＣＰＵ
８　時計機能部
１０　固定メモリ
１１　外部メモリ
１８　撮像情報管理装置
２０　操作部
２１　表示部
２５　撮像装置
２６　管理メモリ
【図１】
2004064595.tif 000003
【図２】
2004064595.tif 000004
【図３】
2004064595.tif 000005
【図４】
2004064595.tif 000006
【図５】
2004064595.tif 000007
【図６】
2004064595.tif 000008
【図７】
2004064595.tif 000009
【図８】
2004064595.tif 000010
【図９】
2004064595.tif 000011
【図１０】
2004064595.tif 000012
【図１１】
2004064595.tif 000013